(57)【特許請求の範囲】
【請求項１】
複数の瓦を所定の位置に固定して葺設状態に載置させるもので、これを建築物の屋根に複数敷設することによって該屋根に瓦を葺設させるための部材であって、瓦を載置させる葺設部材本体は、瓦を流れ方向に複数１列に載置固定させる幅とすると共に、載置させる瓦のきき幅の最大幅に離反させた状態まで重なり合うもので、一方の側部に抉部、他方の側部に重合部を、夫々設けたことを特徴とする瓦葺設部材。
【請求項２】
複数の瓦を所定の位置に固定して葺設状態に載置させるもので、これを建築物の屋根に複数敷設することによって該屋根に瓦を葺設させるための部材であって、瓦を載置させる葺設部材本体は、瓦を幅方向に複数１段に載置固定させる流れ方向の長さに形成すると共に、葺設時に相互に重なり合う抉部と重合部を、一方を上部に他方を下部に夫々設けたことを特徴とする瓦葺設部材。
【請求項３】
建築物の屋根が流れ方向に湾曲した扇状の場合において、複数の瓦を所定の位置に固定して葺設状態に載置させるもので、これを建築物の屋根に複数敷設することによって該屋根に瓦を葺設させるための部材であって、瓦を載置させる葺設部材本体を、瓦を流れ方向に複数１列に載置固定させる幅とすると共に、その幅を載置固定させる瓦のきき幅の最大幅より短くした瓦葺設部材の、該葺設部材本体同士の幅方向の間隔を漸次変化させながら放射状に該屋根に敷設し、該瓦葺設部材に瓦を放射方向にきき幅が漸次変化する状態に載置固定して該屋根に瓦を葺設させることを特徴とする瓦葺設方法。
【請求項４】
きき幅の異なる瓦を載置固定させる複数種の瓦葺設部材を屋根の放射方向に連続的に敷設する請求項３記載の瓦葺設方法。
【請求項５】
建築物の屋根が幅方向に湾曲した扇状の場合において、複数の瓦を所定の位置に固定して葺設状態に載置させるもので、これを建築物の屋根に複数敷設することによって該屋根に瓦を葺設させるための部材であって、瓦を載置させる葺設部材本体を、瓦を幅方向に複数１段に載置固定させる流れ方向の長さに形成した瓦葺設部材の、該葺設部材本体同士の流れ方向の間隔を漸次変化させながら放射状に該屋根に敷設し、該瓦葺設部材に瓦を放射方向にきき足が漸次変化する状態に載置固定して該屋根に瓦を葺設させることを特徴とする瓦葺設方法。
【請求項６】
きき足の異なる瓦を載置固定させる複数種の瓦葺設部材を屋根の放射方向に連続的に敷設する請求項５記載の瓦葺設方法。
【発明の詳細な説明】
【０００１】
【産業上の利用分野】
本発明は、複数の瓦を所定の位置に固定して葺設状態に載置させる瓦葺設部材の改良及びこれを用いた瓦葺設方法に関するものである。
【０００２】
【従来の技術】
従来、桟瓦、Ｓ型桟瓦、或いは洋瓦等を建築物の屋根に葺設させるための部材として、発泡スチロールなどの発泡プラスチック成型した矩形状の瓦葺設部材がある。この瓦葺設部材は複数の瓦、例えば幅方向に４枚流れ方向に３枚の１２枚、或いは４×４の１６枚の瓦を葺設状態に載置固定するもので、これを屋根に複数敷設して瓦を所定の位置に載置固定することによって瓦の葺設を行なうものである。
【０００３】
従来の瓦葺設部材は、個々の瓦の載置位置を載置すべき瓦の標準的なきき幅及びきき足と同じピッチに並ぶように個々の瓦の固定部位が表面に成型され、その位置に瓦を載置固定させていくだけで、地割等を行うことなく極めて簡単に葺設できるようにした構造のものである。このため、瓦葺設部材にはこれを屋根に複数敷設させるときに、該瓦葺設部材同士の連結部分もきき幅及びきき足のピッチを保持できるようにした連結部が周囲に備えられている。従来の連結部は、瓦葺設部材の隣合う２つの辺の裏面側と他の２つの辺の側端部にフック状部分を形成したもので、これらを相互に噛み合わせることによって、連結部分も葺設すべき瓦のきき幅ときき足のピッチに連結できるようにしている。
【０００４】
【発明が解決しようとする課題】
しかしながら、従来の瓦葺設部材は４×３、４×４など幅方向及び流れ方向に夫々複数の瓦を載置固定する構造のものであるため、最も一般的な角形屋根にしか利用できない欠点があった。特に、瓦の幅方向の載置間隔がその瓦の標準的なきき幅に設定されているため、葺き延ばしや葺き縮めすることが不可能となり、汎用性が著しく阻害される問題も有していた。従って、屋根の大きさや形状が所定のモジュールによって形成される企画形住宅に応用することによってその特徴が活かされるものの、企画形住宅以外では却って葺設能率が低下してしまうことになる。
【０００５】
また、近時建築の多様化に伴い円形や曲率半径の大きな扇状の屋根など様々な形状の屋根が増加する傾向にあるものの、このような屋根形状においては従来の瓦葺設部材では全く使用できない。しかも、従来の瓦葺設部材は平板状であるため、屋根の断面形状が凸状や凹状に湾曲や屈曲しているときでも、全く対応できないことになってしまう。従って、平らな角形屋根以外の変形屋根においては、従来の一般的な葺設工法によって葺設するしか方法はなかった。しかしながら、桟掛工法などの従来工法は角形屋根の場合には熟練者も多く、比較的簡易に葺設することができるものの、例えば扇状屋根では桟木を全て扇状に打つ必要があって、角形屋根に比べてかなりの手間がかかり、瓦の葺設に掛かる工費が著しく増大してしまう結果となっていた。
【０００６】
【課題を解決するための手段】
そこで、本発明者は上記問題に鑑み鋭意研究の結果、本発明を成し得たものであり、その特徴とするところは、物の発明にあっては、複数の瓦を所定の位置に固定して葺設状態に載置させるもので、これを建築物の屋根に複数敷設することによって該屋根に瓦を葺設させるための部材であって、瓦を載置させる葺設部材本体を、瓦を流れ方向に複数１列に載置固定させる幅とすると共に、その幅を載置固定させる瓦のきき幅の最大幅より短くしたこと。
【０００７】
或いは、複数の瓦を所定の位置に固定して葺設状態に載置させるもので、これを建築物の屋根に複数敷設することによって該屋根に瓦を葺設させるための部材であって、瓦を載置させる葺設部材本体を、瓦を幅方向に複数１段に載置固定させる流れ方向の長さに形成したことにある。
【０００８】
また、方法の発明にあっては、建築物の屋根が流れ方向に湾曲した扇状の場合において、請求項１の瓦葺設部材の葺設部材本体同士の幅方向の間隔を漸次変化させながら放射状に該屋根に敷設し、該瓦葺設部材に瓦を放射方向にきき幅が漸次変化する状態に載置固定して該屋根に瓦を葺設させること。
【０００９】
或いは、建築物の屋根が幅方向に湾曲した扇状の場合において、請求項３の瓦葺設部材の葺設部材本体同士の流れ方向の間隔を漸次変化させながら放射状に該屋根に敷設し、該瓦葺設部材に瓦を放射方向にきき足が漸次変化する状態に載置固定して該屋根に瓦を葺設させることにある。
【００１０】
ここで、本明細書中でいう「葺設部材本体」とは、本発明における１の発明においては、瓦を流れ方向に１列に複数葺設状態に載置固定させるもので、その幅を載置すべき瓦のきき幅の最大幅より狭小に形成したものをいう。載置すべき瓦としては、特に限定するものではなく、例えばＳ瓦、桟瓦、洋瓦などである。きき幅とは、瓦の幅から重なり長さを差し引いた寸法である。通常、きき幅は瓦を葺設する場合において瓦の幅方向に重なる長さを調整して葺き延ばしたり葺き縮めることができる範囲である働き幅を有している。働き幅は、瓦の大きさや種類等によって異なるものの、例えばＳ形桟瓦で大体４０mm程度である。
【００１１】
葺設部材本体の幅を載置すべき瓦のきき幅の最大幅より狭小に形成することにより、葺設部材本体同士を幅方向に接当させて並べた状態からきき幅の最大幅に離反させた状態迄任意に葺き延ばしや葺き縮めさせることが可能となる。この他、例えば軒側を縮め、棟側を広げて敷設することも可能となり、扇状の屋根にも対応することができる。また、葺設部材本体の幅をきき幅の最小幅と同じかそれよりも小さくして少なくとも瓦を支持載置できるだけの幅にすれば、載置する瓦のきき幅の最小幅に葺き縮めることができるのみならず、瓦を破断するなどの方法によってそれ以上に葺き縮めることができる。葺設部材本体の流れ方向の長さは、瓦を葺設状態に載置させる複数の固定部位を流れ方向に設けたものであればよく、特に限定するものではない。通常、固定部位は載置させる瓦の一般的なきき足の間隔に配される。
【００１２】
本発明における２の発明においては、葺設部材本体は瓦を幅方向１段に複数載置固定させる流れ方向の長さに形成したものをいう。この長さは瓦の一般的なきき足の長さに設定したものでもよいが、瓦のきき足の最大幅より短く形成すればきき足を調整することが可能となる。載置すべき瓦については、前述したものと同様に特に限定するものではない。きき足とは、瓦の流れ方向の長さから重なり長さを差し引いた寸法である。きき足は瓦を葺設する場合に瓦の流れ方向に重なる長さを調整して流れ方向に葺き延ばしたり葺き縮めることができる範囲である働き長さを有しており、瓦の大きさや種類等によって異なるものの、例えば桟瓦で大体４０mm程度の働き長さがある。
【００１３】
葺設部材本体の流れ方向の長さを載置すべき瓦のきき足の最大長さより狭小に形成することにより、葺設部材本体同士を流れ方向に接当させて並べた状態からきき足の最大幅に離反させた状態迄任意に葺き延ばしや葺き縮めさせることが可能となる。この他、例えば屋根の一方の側部を縮め、他方の側部を広げて敷設することも可能となり、幅方向に湾曲した扇状の屋根にも対応することができる。また、葺設部材本体の流れ方向の長さをきき足の最小長さと同じかそれよりも短くして少なくとも瓦を支持載置できるだけの長さにすれば、載置する瓦のきき足の最小長さに葺き縮めることができるのみならず、瓦を破断するなどの方法によってそれ以上に流れ方向に葺き縮めることができる。この葺設部材本体の幅方向の長さは、瓦を葺設状態に載置させる複数の固定部位を幅方向に設けたものであればよく、特に限定するものではない。通常、固定部位は載置させる瓦の一般的なきき幅の間隔に配される。
【００１４】
本発明における１の発明では、葺設部材本体の一方の側部に抉部、他方の側部に該抉部と重なり合う重合部を設けたものとしてもよい。該抉部と該重合部は、葺設部材本体同士を幅方向に接当させて並べた状態から、少なくとも載置すべき瓦のきき幅の最大幅に離反させた状態まで重なり合う幅とするのが好ましい。また、抉部の下側に位置する重合部の側端部に、瓦に設けられる水返しのような突条部を設けて、雨水の侵入を防止させるのが好ましい。葺設部材本体の上部と下部にも抉部と重合部のような連結部を設けるようにしてもよい。この連結部としては、本体に形成された固定部位と同じピッチで連結させる構造とするのが好ましい。
【００１５】
本発明における２の発明においても、葺設部材本体の上部と下部のいずれか一方に抉部、他方に該抉部と重なり合う重合部を設けたものとしてもよい。この抉部と重合部は瓦のきき足に連結する構造とする他、上述した幅としたり、水返し状の突条部を設けることによって、同等の効果を得ることができる。また、葺設部材本体の両側部に上述した連結部を設けるようにしてもよい。
【００１６】
本発明の１の発明に係る瓦葺設部材を用いて、流れ方向に湾曲した扇状の屋根に瓦を葺設する方法としては、葺設部材本体同士の幅方向の間隔を漸次変化させながら軒部と棟部の一方を狭く他方を広く放射状に敷設し、瓦をその働き幅の範囲内できき幅を漸次変化させて載置固定するこによって行なう。また、他の方法として、きき幅の異なる複数種の瓦葺設部材を屋根の放射方向に連続的に敷設させるようにすれば、曲率半径の小さい円形や扇状の屋根にも対応させることができる。例えば、軒側が幅広の扇状屋根の場合は、軒側に幅の大きな瓦葺設部材、棟に向かって順次幅の小さい瓦葺設部材を敷設させる。この場合、同じ幅の瓦葺設部材を複数づつ放射方向に敷設させてもよい。幅の異なる瓦葺設部材同士の放射方向の連結部分は、幅の大きい方が葺設部材本体同士が接当若しくは近接し、幅の小さい方は葺設部材本体同士がほぼ最大に離反した状態となる。
【００１７】
また、本発明の２の発明に係る瓦葺設部材を用いて、幅方向に湾曲した扇状の屋根に瓦を葺設する方法としては、葺設部材本体同士の流れ方向の間隔を漸次変化させながら屋根の両側部の一方を狭く他方を広く放射状に敷設し、瓦をその働き長さの範囲内できき足を漸次変化させて載置固定するこによって行なう。さらに、他の方法として、きき足の異なる複数種の瓦葺設部材を屋根の放射方向に連続的に敷設させるようにすれば、曲率半径の小さい円形や扇状の屋根にも対応させることができる。この場合も流れ方向に同じ長さの瓦葺設部材を複数づつ放射方向に敷設させてもよい。流れ方向長さの異なる瓦葺設部材同士の放射方向の連結部分も、長い方が葺設部材本体同士が接当若しくは近接し、短い方は葺設部材本体同士がほぼ最大に離反した状態となる。
【００１８】
【発明の実施の形態】
以下、本発明を図面に示す発明の実施の形態に基づいて詳細に説明する。
【００１９】
図１は本発明における１の発明に係る瓦葺設部材１の実施の形態の一例を示すもので、発泡スチロール製の葺設部材本体２の上面にＳ形桟瓦３を３枚流れ方向の１列に葺設状態に載置固定させる構造としたものである。葺設部材本体２は、きき幅２４５mm〜２７０mm即ち働き幅が２５mmのＳ形桟瓦３を載置させるようにしたもので、本例では葺設部材本体２の幅を２３０mmとしている。そして、流れ方向の長さをＳ形桟瓦３のきき足２６３mmの３枚分である７８９mmとしている。また、葺設部材本体２の前端部と後端部に連結部１０を夫々設けている。この連結部１０は、葺設部材本体２に載置固定される複数のＳ形桟瓦３のピッチと連結部分が同じピッチとなるように連結するものである。
【００２０】
この瓦葺設部材１を建築物の角形屋根４に敷設して、Ｓ形桟瓦３を載置した状態を図２に示す。同図（ａ）は屋根４の幅方向に葺き縮めた状態、同図（ｂ）は葺き延ばした状態である。従って、本発明における１の発明に係る瓦葺設部材１によれば、瓦のきき幅を調整して葺設させることが可能となり、種々の大きさの角形屋根４に対応させることができる。また、このように瓦葺設部材１は瓦を１列に載置させる構造としたことにより、葺き延ばしや葺き縮めできるだけでなく、図３（ａ）（ｂ）のように湾曲した角形屋根４でも葺設させることが可能となる。
【００２１】
さらに、図４に示すように流れ方向に湾曲した扇状の屋根５にも敷設可能であり、瓦を扇状に葺く葺設作業が極めて簡単となる。これは、桟木を扇状に固定しなければならない従来の方法に比して、本発明における１の方法発明によれば、軒先の１列だけ扇状のラインを出して瓦葺設部材１を固定するだけでよく、たて墨だけで簡単に敷設できることになる。後は該瓦葺設部材１の所定の位置に成型されている固定部位に順次Ｓ形桟瓦３を載置固定して葺設作業が完了する。
【００２２】
本発明における１の発明に係る瓦葺設方法の実施の形態の他の例としては、図５に示すように幅の異なる瓦葺設部材１を複数利用してきき幅が異なる数種のＳ形桟瓦３を葺設させるようにすれば、曲率半径のより小さい扇状の屋根５でも簡易に葺設することが可能となる。つまり、例えば３種類位のきき幅の異なるＳ形桟瓦３に夫々対応させた１の発明に係る瓦葺設部材１を放射方向に連続的に敷設させることによって、棟側と軒側におけるＳ形桟瓦３のきき幅の差を大きくすることができ、１種類の瓦葺設部材１だけを使用する葺設方法に比べて曲率半径を小さく葺設できるためである。
【００２３】
図６は本発明における２の発明に係る瓦葺設部材２１の実施の形態の一例を示すもので、発泡スチロール製の葺設部材本体２２の上面に桟瓦３を３枚幅方向の１段に葺設状態に載置固定させる構造としている。葺設部材本体２２は、きき足１９５mm〜２２５mm即ち働き長さが３０mmの桟瓦３を載置できるようにしたものであり、本例では葺設部材本体２２の流れ方向の長さを１８０mmとしている。また、葺設部材本体２２の両端部に連結部１０を夫々設けている。この連結部１０は、葺設部材本体２２に載置固定される複数の桟瓦３のピッチと連結部分が同じピッチとなるように連結するものである。
【００２４】
この瓦葺設部材２１を建築物の角形屋根４に敷設して、桟瓦３を載置した状態を図７に示す。同図（ａ）は屋根の流れ方向に葺き縮めた状態、同図（ｂ）は葺き延ばした状態である。従って、本発明における２の発明に係る瓦葺設部材２１によれば瓦のきき足を調整して葺設させることが可能となる。また、瓦葺設部材２１は瓦を複数１段に載置させる構造としたことにより、流れ方向に葺き延ばしや葺き縮めできるだけでなく、図８（ａ）（ｂ）のように湾曲した角形屋根４でも葺設させることが可能となる。
【００２５】
さらに、一方を葺き縮め他方を葺き延ばすことによって図９に示すように幅方向に湾曲した扇状の屋根５にも敷設でき、瓦を扇状に葺く葺設作業が極めて簡単となる。従って、本発明における２の発明に係る瓦葺設方法によれば、一方の袖側の１列だけ扇状のラインを出すだけで、幅方向に湾曲した扇状の屋根５でも極めて簡単に瓦の葺設作業を行うことができることになる。
【００２６】
また、本発明における２の発明に係る瓦葺設方法の実施の形態の他の例としては、図１０のように流れ方向の長さが異なる瓦葺設部材２１を複数利用し、きき足の異なる数種の桟瓦３を葺設させれば、曲率半径のより小さい扇状の屋根５でも対応可能となる。
【００２７】
図１１は本発明における１の発明に係る瓦葺設部材１の実施の形態の他の例を示すもので、図１に示した葺設部材本体２の一方の側部に抉部６、他方の側部に重合部７を夫々設けたものである。抉部６と重合部７はこれらが重なった状態で約４０mm幅方向に調整できるようにしている。重合部７は、その側端部に水返し８を設けて雨水の浸透を防止させるようにしている。また、抉部６にはその側端部に下方に突出するフック部９を設け、きき幅の最大幅以上離反しないように該水返し８と係合させるようにしている。そして、瓦葺設部材本体２の前端部と後端部に抉部６と重合部７と同様の連結部１０を夫々設けている。この連結部１０は連結長さを調整するものではなく、瓦葺設部材本体２に設けられた複数の瓦固定部位と同じピッチに連結させるものである。
【００２８】
図１２は本発明における２の発明に係る瓦葺設部材２１の実施の形態の他の例を示すもので、図６に示した葺設部材本体２２の上部に重合部７、下部に抉部６を設けたものである。この抉部６と重合部７もこれらが重なった状態で約４０mm流れ方向に調整可能であり、抉部６と重合部７の側端部に夫々設けたフック部９を掛合させるようにしている。また、葺設部材本体２２の両端部に瓦固定部位と同じピッチに連結させる連結部１０を夫々設けている。
【００２９】
【発明の効果】
以上のように本発明に係る瓦葺設部材は、複数の瓦を所定の位置に固定して葺設状態に載置させるもので、これを建築物の屋根に複数敷設することによって該屋根に瓦を葺設させるための部材であって、瓦を載置させる葺設部材本体を、瓦を流れ方向に複数１列に載置固定させる幅とすると共に、その幅を載置固定させる瓦のきき幅の最大幅より短くしたこと。或いは、複数の瓦を所定の位置に固定して葺設状態に載置させるもので、これを建築物の屋根に複数敷設することによって該屋根に瓦を葺設させるための部材であって、瓦を載置させる葺設部材本体を、瓦を幅方向に複数１段に載置固定させる流れ方向の長さに形成したことにより、葺き縮めや葺き延ばしが可能となり、種々の大きさの角形屋根にも対応することができる。また、扇状の屋根や円形の屋根のみならず隆起したり陥凹した断面構造の屋根にも対応可能となり、様々な形態、構造の屋根でも極めて簡単に葺設でき、大幅なコストダウンを達成できる。
【００３０】
また、本発明に係る瓦葺設方法は、建築物の屋根が流れ方向に湾曲した扇状の場合において、請求項１の瓦葺設部材の葺設部材本体同士の幅方向の間隔を漸次変化させながら放射状に該屋根に敷設し、該瓦葺設部材に瓦を放射方向にきき幅が漸次変化する状態に載置固定して該屋根に瓦を葺設させること。或いは建築物の屋根が幅方向に湾曲した扇状の場合において、請求項３の瓦葺設部材の葺設部材本体同士の流れ方向の間隔を漸次変化させながら放射状に該屋根に敷設し、該瓦葺設部材に瓦を放射方向にきき足が漸次変化する状態に載置固定して該屋根に瓦を葺設させることにより、従来の工法に比べ墨出しなどが著しく簡易化でき、角形屋根に葺設する場合とほとんど同様に扇状屋根に瓦を葺設することが可能となる。従って、施工期間が短縮できるのみならず、工事が簡単で熟練を要しないことや施工費が安価となるなど実用上極めて有益な効果を有するものである。
【図面の簡単な説明】
【図１】本発明の１の発明に係る瓦葺設部材の実施の形態の一例を示す斜視図である。
【図２】図１に示した瓦葺設部材を屋根に敷設してＳ形桟瓦を載置させた状態を示すもので、（ａ）は葺き縮めたときの横断面図、（ｂ）は葺き延ばしたときの横断面図である。
【図３】（ａ）は断面形状が凸状に湾曲した屋根に敷設した状態を示す横断面図、（ｂ）は断面形状が凹状に湾曲した屋根に敷設した状態を示す横断面図である。
【図４】本発明の１の発明に係る瓦葺設部材を用いた本発明の１の発明に係る瓦葺設方法の実施の形態の一例を示す平面図である。
【図５】本発明の１の発明に係る瓦葺設部材を用いた本発明の１の発明に係る瓦葺設方法の実施の形態の他の例を示す平面図である。
【図６】本発明の２の発明に係る瓦葺設部材の実施の形態の一例を示す斜視図である。
【図７】図６に示した瓦葺設部材を屋根に敷設してＳ形桟瓦を載置させた状態を示すもので、（ａ）は葺き縮めたときの縦断面図、（ｂ）は葺き延ばしたときの縦断面図である。
【図８】（ａ）は断面形状が凸状に湾曲した屋根に敷設した状態を示す縦断面図、（ｂ）は断面形状が凹状に湾曲した屋根に敷設した状態を示す縦断面図である。
【図９】本発明の２の発明に係る瓦葺設部材を用いた本発明の２の発明に係る瓦葺設方法の実施の形態の一例を示す平面図である。
【図１０】本発明の２の発明に係る瓦葺設部材を用いた本発明の２の発明に係る瓦葺設方法の実施の形態の他の例を示す平面図である。
【図１１】本発明の１の発明に係る瓦葺設部材の実施の形態の他の例を示す斜視図である。
【図１２】本発明の２の発明に係る瓦葺設部材の実施の形態の他の例を示す斜視図である。
【符号の説明】
１  瓦葺設部材
２  葺設部材本体
３  Ｓ形桟瓦
４  角形屋根
５  扇状屋根
６  抉部
７  重合部
８  水返し
９  フック部
１０  連結部
２１  瓦葺設部材
２２  葺設部材本体
【図１】
0003760326.tif 000002
【図２】
0003760326.tif 000003
【図３】
0003760326.tif 000004
【図４】
0003760326.tif 000005
【図５】
0003760326.tif 000006
【図６】
0003760326.tif 000007
【図７】
0003760326.tif 000008
【図８】
0003760326.tif 000009
【図９】
0003760326.tif 000010
【図１０】
0003760326.tif 000011
【図１１】
0003760326.tif 000012
【図１２】
0003760326.tif 000013